(57)【要約】【課題】干渉源の基地局を制御してセル干渉エリアを解消することができる基地局、無線通信システム、送信電力制御方法及び制御プログラムを提供すること。【解決手段】本発明にかかる基地局は、データを送信する送信アンテナ１１と、セルエリアの境界近傍に配置され、データを受信する受信アンテナ１２と、受信したデータに基づいて、セル干渉が発生しているか否かを判定する判定部１３と、セル干渉が発生している場合、送信アンテナ１１と受信アンテナ１２との間にて用いられている周波数情報を含むセル干渉通知メッセージを周辺基地局へ送信し、又は、周辺基地局からセル干渉通知メッセージを受信する干渉通知メッセージ送受信アンテナ１４と、セル干渉通知メッセージに含まれる周波数情報に基づいて、送信アンテナ１１からデータを送信する際の送信電力を制御する送信電力制御部１３と、を備えるものである。【選択図】図１
2013183257.tif 000002
【特許請求の範囲】
【請求項１】
データを送信する送信アンテナと、
セルエリアの境界近傍に配置され、前記送信アンテナから送信されるデータを受信する受信アンテナと、
前記受信アンテナにおいて受信した前記データに基づいて、セル干渉が発生しているか否かを判定する判定部と、
前記セル干渉が発生していると判定された場合前記送信アンテナと前記受信アンテナとの間において用いられている周波数情報を含むセル干渉通知メッセージを周辺基地局へ送信し、又は、前記周辺基地局から前記セル干渉通知メッセージを受信する干渉通知メッセージ送受信アンテナと、
前記セル干渉通知メッセージに含まれる周波数情報に基づいて、前記送信アンテナからデータを送信する際の送信電力を制御する送信電力制御部と、を備える基地局。
【請求項２】
前記送信電力制御部は、
前記干渉通知メッセージ受信アンテナにおいて受信した前記セル干渉通知メッセージに含まれる周波数情報に示される周波数と、前記送信アンテナから出力する電波の周波数とが一致する場合、前記送信アンテナから送信するデータの送信電力を下げる、請求項１に記載の基地局。
【請求項３】
前記送信電力制御部は、
前記セル干渉通知メッセージを前記周辺基地局へ送信する場合、前記送信アンテナから送信するデータの送信電力を下げない、請求項１又は２に記載の基地局。
【請求項４】
前記干渉通知メッセージ送受信アンテナから送信される前記セル干渉通知メッセージに設定される周波数は、前記送信アンテナから送信されるデータに設定される周波数と異なる値に設定される、請求項１乃至３のいずれか１項に記載の基地局。
【請求項５】
前記基地局は、
複数の前記受信アンテナを有し、前記複数の受信アンテナにおいて受信した前記データのうち少なくとも１つのデータに基づいてセル干渉が発生していると判定された場合、前記セル干渉通知メッセージを前記周辺基地局へ送信する、請求項１乃至４のいずれか１項に記載の基地局。
【請求項６】
セル干渉が発生しているか否かを判定するために用いられる検査用データを生成する検査用データ生成部をさらに備え、
前記判定部は、
前記検査用データ生成部において生成された前記検査用データと、前記送信アンテナから送信され、前記受信アンテナにおいて受信した前記検査用データとが不一致となる場合に、前記セル干渉が発生していると判定する、請求項１乃至５のいずれか１項に記載の基地局。
【請求項７】
第１及び第２の基地局を備える無線通信システムであって、
前記第１の基地局は、
データを送信する送信アンテナと、
セルエリアの境界近傍に配置され、前記送信アンテナから送信されるデータを受信する受信アンテナと、
前記受信アンテナにおいて受信した前記データに基づいて、セル干渉が発生しているか否かを判定する判定部と、
前記セル干渉が発生していると判定された場合、前記送信アンテナと前記受信アンテナとの間において用いられている周波数情報を含むセル干渉通知メッセージを周辺基地局へ送信する干渉通知メッセージ送信アンテナと、を有し、
前記第２の基地局は、
前記第１の基地局から前記セル干渉通知メッセージを受信する干渉通知メッセージ受信アンテナと、
前記干渉通知メッセージに含まれる周波数情報に基づいて、前記送信アンテナからデータを送信する際の送信電力を制御する送信電力制御部と、を有する無線通信システム。
【請求項８】
送信アンテナから送信されたデータをセルエリアの境界近傍に配置された受信アンテナを用いて受信し、
受信した前記データに基づいて、セル干渉が発生しているか否かを判定し、
前記セル干渉が発生していると判定された場合、前記前記送信アンテナと前記受信アンテナとの間において用いられている周波数情報を含むセル干渉通知メッセージを周辺基地局へ送信し、
送信された前記セル干渉通知メッセージを受信し、
前記セル干渉通知メッセージに含まれる周波数情報に基づいて、前記送信アンテナからデータを送信する際の送信電力を制御する、送信電力制御方法。
【請求項９】
セルエリアの境界近傍に配置された受信アンテナを用いて受信された送信アンテナから送信されたデータに基づいて、セル干渉が発生しているか否かを判定するステップと、
前記セル干渉が発生していると判定された場合に、前記前記送信アンテナと前記受信アンテナとの間において用いられている周波数情報を含むセル干渉通知メッセージを生成するステップと、
前記セル干渉メッセージを周辺基地局から受信した場合に、前記セル干渉通知メッセージに含まれる周波数情報に基づいて前記送信アンテナからデータを送信する際の送信電力を制御するステップと、をコンピュータに実行させる制御プログラム。
【発明の詳細な説明】
【技術分野】
【０００１】
本発明は送信電力制御を行う基地局に関し、特に送信電力制御によりセル干渉エリアを解消する基地局に関する。
【背景技術】
【０００２】
一般的な無線通信においては、同じ周波数を繰り返し再利用し、複数のセルエリアを構成する無線通信システムが用いられている。ここで、無線通信システム内に建設されている建物を壊し、もしくは山を開拓するような土地開発の影響によって、セルエリアが変化する場合がある。この時、ある基地局が形成するセルエリアと、前述した基地局と同一の周波数を用いる他の基地局が形成するセルエリアとが重なりあった場合に、セル干渉が発生するという課題が生じる。
【０００３】
特許文献１には、複数の基地局のセルエリアが重なることによって発生するセル干渉を改善する無線通信システムの構成が開示されている。図８を用いて、特許文献１に開示されている無線システムの構成について説明する。無線システムは、基地局１１００及び基地局１１００によって形成されるセルエリア１１０１と、基地局１２００及び基地局１２００によって形成されるセルエリア１２０１と、基地局１３００及び基地局１３００によって形成されるセルエリア１３０１と、基地局１４００及び基地局１４００によって形成されるセルエリア１４０１と、交換局１５００とを備えている。基地局１１００と、交換局１５００とは、有線伝送路１０１０を用いて接続されている。基地局１４００と、交換局１５００とは、有線伝送路１０１１を用いて接続されている。セルエリア１１０１とセルエリア１４０１とにおいては周波数ｆ１が用いられている。そのため、セルエリア１１０１とセルエリア１４０１とが重なるエリアは、セル干渉エリアとなる。ただし、本図においては、山、建物等の障害物１７００が存在することにより、セル干渉エリアは、発生していない。また、基地局１１００は、送信アンテナ１１５０と、セルエリアの境界近傍に受信アンテナ１１１０、１１２０及び１１ｎ０（ｎは３以上の整数）とを備えている。同様に、基地局１４００は、送信アンテナ１４５０と、セルエリアの境界近傍に受信アンテナ１４１０とを備えている。
【０００４】
次に、障害物１７００がなくなり、セル干渉エリアが発生した際の動作について説明する。受信アンテナ１１１０は、送信アンテナ１１５０から周波数ｆ１を用いて変調された検査用データを受信する。この時、基地局１１００は、受信アンテナ１１１０において受信した検査用データに基づいて、セル干渉が発生していることを検出する。基地局１１００は、セル干渉が発生していることを検出すると、交換局１５００に対して検出結果を送信する。
【０００５】
交換局１５００は、セル干渉エリアを検出した受信アンテナ１１１０に最も近いアンテナを検索する。この場合、受信アンテナ１４１０が検索される。交換局１５００は、受信アンテナ１４１０を有する基地局１４００に対して、送信電力を下げるように指示する。基地局１４００は、交換局１５００からの指示に基づいて、送信電力を下げる。そのため、セルエリア１４０１が小さくなる。その結果、セル干渉エリアが解消される。交換局１５００は、それぞれの受信アンテナの位置情報と、それぞれの受信アンテナが属する基地局情報と、セルエリアの周波数情報と、それぞれの受信アンテナ同士の距離情報と、等を有している。
【０００６】
また、特許文献２には、基地局がセル干渉を検出した場合に、隣接セルの基地局に対して、オーバーロード指示メッセージを送信する。オーバーロード指示メッセージを受信した基地局は、セル内の移動通信端末における送信電力を低下させる。これにより、隣接セルへのセル干渉を低下させることができる。
【先行技術文献】
【特許文献】
【０００７】
【特許文献１】特開２００７−１０４６４８号公報
【特許文献２】特開２０１１−７１９９４号公報
【発明の概要】
【発明が解決しようとする課題】
【０００８】
しかし特許文献１に開示されている無線通信システムを用いた場合、交換局１５００に、交換局１５００配下のすべての受信アンテナ位置情報（受信アンテナが属する基地局情報、セルエリアの周波数情報、各受信アンテナ同士の距離情報）を設定する必要がある。交換局１５００配下の全ての受信アンテナの情報を設定することは、システム設計を行う人の作業になる。そのため、情報設定作業を行う際に、位置情報を間違えてしまうことも考えられる。その結果、セル干渉エリアが発生しても、干渉源の基地局を制御できないため、干渉エリアが解消されず、さらに正常なセルについてエリアが狭くなるという弊害が起こる可能性がある。
【０００９】
さらに、特許文献１には、異常であった受信アンテナから最も近く、かつ、同一周波数のセルエリアに位置している受信アンテナを有するセルエリアしか制御しない。これにより、もし、最も近い受信アンテナを有するセルエリア以外からの干渉を受けて、セル干渉エリアが発生した場合は、セル干渉エリアを解消することが出来ないという課題が発生する。
【００１０】
また、特許文献２に開示されている基地局は、セル内の移動通信端末の送信電力を低下するように制御する。そのため、セルエリアを小さくするという制御を行わないため、セル干渉エリアを解消することはできない。
【００１１】
本発明は、このような課題の中の少なくとも１つを解決するためになされたものであり、干渉源の基地局を制御してセル干渉エリアを解消することができる基地局、無線通信システム、送信電力制御方法及び制御プログラムを提供することを目的とする。
【課題を解決するための手段】
【００１２】
本発明の第１の態様にかかる基地局は、データを送信する送信アンテナと、セルエリアの境界近傍に配置され、前記送信アンテナから送信されるデータを受信する受信アンテナと、前記受信アンテナにおいて受信した前記データに基づいて、セル干渉が発生しているか否かを判定する判定部と、前記セル干渉が発生していると判定された場合前記送信アンテナと前記受信アンテナとの間において用いられている周波数情報を含むセル干渉通知メッセージを周辺基地局へ送信し、又は、前記周辺基地局から前記セル干渉通知メッセージを受信する干渉通知メッセージ送受信アンテナと、前記セル干渉通知メッセージに含まれる周波数情報に基づいて、前記送信アンテナからデータを送信する際の送信電力を制御する送信電力制御部と、を備えるものである。
【００１３】
本発明の第２の態様にかかる無線通信システムは、第１及び第２の基地局を備える無線通信システムであって、前記第１の基地局は、データを送信する送信アンテナと、セルエリアの境界近傍に配置され、前記送信アンテナから送信されるデータを受信する受信アンテナと、前記受信アンテナにおいて受信した前記データに基づいて、セル干渉が発生しているか否かを判定する判定部と、前記セル干渉が発生していると判定された場合、前記送信アンテナと前記受信アンテナとの間において用いられている周波数情報を含むセル干渉通知メッセージを周辺基地局へ送信する干渉通知メッセージ送信アンテナと、を有し、前記第２の基地局は、前記第１の基地局から前記セル干渉通知メッセージを受信する干渉通知メッセージ受信アンテナと、前記干渉通知メッセージに含まれる周波数情報に基づいて、前記送信アンテナからデータを送信する際の送信電力を制御する送信電力制御部と、を有するものである。
【００１４】
本発明の第３の態様にかかる送信電力制御方法は、送信アンテナから送信されたデータをセルエリアの境界近傍に配置された受信アンテナを用いて受信し、受信した前記データに基づいて、セル干渉が発生しているか否かを判定し、前記セル干渉が発生していると判定された場合、前記前記送信アンテナと前記受信アンテナとの間において用いられている周波数情報を含むセル干渉通知メッセージを周辺基地局へ送信し、送信された前記セル干渉通知メッセージを受信し、前記セル干渉通知メッセージに含まれる周波数情報に基づいて、前記送信アンテナからデータを送信する際の送信電力を制御するものである。
【００１５】
本発明の第４の態様にかかる制御プログラムは、セルエリアの境界近傍に配置された受信アンテナを用いて受信された送信アンテナから送信されたデータに基づいて、セル干渉が発生しているか否かを判定するステップと、前記セル干渉が発生していると判定された場合に、前記前記送信アンテナと前記受信アンテナとの間において用いられている周波数情報を含むセル干渉通知メッセージを生成するステップと、前記セル干渉メッセージを周辺基地局から受信した場合に、前記セル干渉通知メッセージに含まれる周波数情報に基づいて前記送信アンテナからデータを送信する際の送信電力を制御するステップと、をコンピュータに実行させるものである。
【発明の効果】
【００１６】
本発明により、干渉源の基地局を制御してセル干渉エリアを解消することができる基地局、無線通信システム、送信電力制御方法及び制御プログラムを提供することができる。
【図面の簡単な説明】
【００１７】
【図１】実施の形態１にかかる基地局の構成図である。
【図２】実施の形態１にかかる無線通信システムの構成図である。
【図３】実施の形態１にかかる基地局の構成図である。
【図４】実施の形態１にかかる干渉通知メッセージ送信処理の流れを示す図である。
【図５】実施の形態１にかかる送信電力制御処理の流れを示す図である。
【図６】実施の形態１にかかる無線通信システムの構成図である。
【図７】実施の形態１にかかる無線通信システムの構成図である。
【図８】特許文献１に開示されている無線通信システムの構成図である。
【発明を実施するための形態】
【００１８】
（実施の形態１）
以下、図面を参照して本発明の実施の形態について説明する。はじめに、図１を用いて本発明の実施の形態１にかかる基地局の構成例について説明する。図１における基地局は、送信アンテナ１１と、受信アンテナ１２と、判定部１３と、干渉通知メッセージ送受信アンテナ１４と、送信電力制御部１５とを備えている。
【００１９】
送信アンテナ１１は、無線通信を介してデータを送信する。送信アンテナ１１は、移動通信端末等へデータを送信してもよく、同じ基地局に接続される受信アンテナ１２へデータを送信してもよい。
【００２０】
受信アンテナ１２は、基地局によって形成されるセルエリアの境界近傍に配置される。受信アンテナ１２は、基地局と数十メートルもしくは数キロメートル離れた位置に配置されることもある。そのため、受信アンテナ１２は、ケーブル又は有線通信回線等を介して基地局と接続されてもよい。さらに、受信アンテナ１２は、送信アンテナ１１から送信されるデータを受信する。
【００２１】
判定部１３は、受信アンテナ１２において受信したデータに基づいて、セル干渉が発生しているか否かを判定する。受信アンテナ１２は、セルエリアの境界近傍に配置される。そのため、受信アンテナ１２は、接続されている基地局以外の他の基地局において用いられる電波によって干渉、つまりセル干渉を受けることが考えられる。受信アンテナ１２が干渉を受けている場合、送信アンテナ１１から送信されたデータを正常に受信することができない。そのため、判定部１３は、受信アンテナ１２において受信したデータを用いることにより、受信アンテナ１２の周辺において他の基地局から干渉を受けるセル干渉エリアが発生しているか否かを判定することができる。
【００２２】
干渉通知メッセージ送受信アンテナ１４は、判定部１３においてセル干渉が発生していると判定された場合、送信アンテナ１１と受信アンテナ１２との間において用いられている周波数情報を含む干渉通知メッセージを周辺基地局へ送信する。周辺基地局は、送信アンテナ１１及び受信アンテナ１２が接続されている基地局に隣接する基地局や、隣接する基地局にさらに隣接する基地局を含んでもよい。つまり、周辺基地局は、干渉通知メッセージ送受信アンテナ１４を有する基地局を基準として、所定の範囲内にある基地局である。さらに、干渉通知メッセージ送受信アンテナ１４は、周辺基地局から干渉通知メッセージを受信する。このようにして、干渉通知メッセージ送受信アンテナ１４は、送信アンテナ１１から送信されるデータとは異なる干渉通知メッセージを送受信するために用いられるアンテナである。
【００２３】
送信電力制御部１５は、周辺基地局から受信した干渉通知メッセージに含まれる周波数情報に基づいて、送信アンテナ１１からデータを送信する際の送信電力を制御する。例えば、送信電力制御部１５は、干渉通知メッセージに含まれる周波数情報が送信アンテナ１１から出力する電波の周波数と同一であると判定した場合、送信アンテナ１１からデータを送信する際の送信電力を下げる。これにより、送信アンテナ１１から送信されるデータの到達距離を短くすることができる。これにより、基地局が形成するセルエリアを小さくし、セル干渉エリアを解消することができる。
【００２４】
以上説明したように、図１の基地局を用いることにより、干渉通知メッセージに含まれる周波数情報を用いて、送信電力制御を行うことができる。これにより、交換局等を用いて干渉通知メッセージを送信した基地局の位置情報等を用いることなく、送信電力制御を行うことができる。そのため、交換局を用いて干渉通知メッセージを配信するシステムと比較して、簡易なシステム構成を用いてセル干渉エリアを解消することができる。
【００２５】
続いて、図２を用いて本発明の実施の形態１にかかる無線通信システムの構成例について説明する。無線通信システムは、基地局１００、２００、３００及び４００を備えている。基地局１００は、セルエリア１０１を形成している。さらに、基地局１００は、複数の受信アンテナ１１０〜１ｎ０（ｎは２以上の整数）と、送信アンテナ１５０と、干渉通知メッセージ送受信アンテナ１６０とを有している。無線通信システム内のセルエリア境界には、建物、山等の障害物７００が存在する。障害物７００は、無線信号を遮断する。
【００２６】
送信アンテナ１５０は、周波数ｆ１で変調されたデータをセルエリア内の通信端末等へ送信する。周波数ｆ１で変調されたデータは、セル干渉エリアが発生しているか否かを判定するために用いられる検査用データを含む。受信アンテナ１１０〜１ｎ０は、送信アンテナ１５０から送信される検査用データを受信する。
【００２７】
基地局２００は、セルエリア２０１を形成している。さらに、基地局２００は、送信アンテナ２５０と、干渉通知メッセージ送受信アンテナ２６０とを有している。基地局２００は、周波数ｆ２で変調されたデータをセルエリア内の通信端末等へ送信する。基地局３００は、セルエリア３０１を形成している。さらに、基地局３００は、送信アンテナ３５０と、干渉通知メッセージ送受信アンテナ３６０とを有している。基地局３００は、周波数ｆ３で変調されたデータをセルエリア内の通信端末等へ送信する。
【００２８】
基地局４００は、セルエリア４０１を形成している。さらに、基地局４００は、受信アンテナ４１０と、送信アンテナ４５０と、干渉通知メッセージ送受信アンテナ４６０とを有している。送信アンテナ４５０は、基地局１００と同様に、周波数ｆ１で変調されたデータをセルエリア内の通信端末等へ送信する。つまり、セルエリア１０１及び４０１においては、同じ周波数ｆ１が用いられている。
【００２９】
図２においては、セルエリア境界近傍に配置される受信アンテナは、基地局１００及び４００にのみ設けられているが、基地局２００及び３００にも設けられてもよい。
【００３０】
続いて、図３を用いて本発明の実施の形態１にかかる基地局１００の詳細な構成例について説明する。基地局１００は、受信アンテナ１１０と、データ復調部１１１と、比較部１１２と、受信アンテナ１２０と、データ復調部１２１と、比較部１２２と、受信アンテナ１ｎ０（ｎは３以上の整数）と、データ復調部１ｎ１と、比較部１ｎ２と、検査用データ生成部１３０と、データ変調部１４０と、セル干渉検出部１０４と、干渉通知メッセージ送受信アンテナ１６０と、データ変調部１０５と、データ復調部１０６と、送信電力制御部１０２と、可変アッテネータ１０３と、送信アンテナ１５０とを備えている。
【００３１】
検査用データ生成部１３０は、検査用データを生成する。検査用データ生成部１３０は、生成した検査用データをデータ変調部１４０と、比較部１１２〜１ｎ２とへ出力する。検査用データは、セル干渉エリアが発生しているか否かを判定するために用いられるデータである。データ変調部１４０は、検査用データを周波数ｆ１で変調する。データ変調部１４０は、変調した検査用データを、可変アッテネータ１０３を介して送信アンテナ１５０から受信アンテナ１１０〜１ｎ０へ送信する。データ復調部１１１は、受信アンテナ１１０を介して受信した検査用データを復調する。データ復調部１１１は、復調したデータを比較部１１２へ出力する。
【００３２】
比較部１１２は、検査用データ生成部１３０から出力された検査用データと、データ復調部１１１から出力された復調データとを比較する。受信アンテナ１１０において送信アンテナ１５０から出力されたデータを正常に受信した場合、検査用データ生成部１３０から出力された検査用データと、データ復調部１１１から出力された復調データとは、一致する。受信アンテナ１１０がセル干渉により送信アンテナ１５０から出力されたデータを正常に受信できなかった場合、検査用データ生成部１３０から出力された検査用データと、データ復調部１１１から出力された復調データとは、一致しない。比較部１１２は、検査用データと復調データとを比較した比較結果１をセル干渉検出部１０４へ出力する。比較結果１は、検査用データと復調データとが一致したか否かを示している。受信アンテナ１２０、データ復調部１２１及び比較部１２２と、受信アンテナ１ｎ０、データ復調部１ｎ１及び比較部１ｎ２とは、受信アンテナ１１０、データ復調部１１１及び比較部１１２と同様の機能を有するため、詳細な説明を省略する。また、比較部１２２から出力される比較結果を比較結果２とし、比較部１ｎ２から出力される比較結果を比較結果ｎとする。
【００３３】
セル干渉検出部１０４は、比較部１１２〜１ｎ２から比較結果１〜ｎを受け取る。比較結果１〜ｎのうち、検査用データと復調データとが一致しないとする比較結果が少なくとも１つ含まれていた場合、セル干渉検出部１０４は、セル干渉通知メッセージを生成し、生成したセル干渉通知メッセージをデータ変調部１０５及び送信電力制御部１０２へ出力する。
【００３４】
データ変調部１０５は、セル干渉検出部１０４から出力されたセル干渉通知メッセージを、周波数ｆ０で変調する。データ変調部１０５は、周波数ｆ０で変調したセル干渉通知メッセージを、干渉通知メッセージ送受信アンテナ１６０を介して、周辺基地局へ送信する。周波数ｆ０は、送信アンテナ１５０から出力される電波に用いられる周波数ｆ１と異なる。
【００３５】
データ復調部１０６は、基地局１００以外の基地局から干渉通知メッセージ送受信アンテナ１６０を介して受け取ったセル干渉通知メッセージであって、周波数ｆ０で変調されたセル干渉通知メッセージを復調する。データ復調部１０６は、復調した干渉通知メッセージを送信電力制御部１０２へ出力する。
【００３６】
送信電力制御部１０２は、データ復調部１０６からセル干渉通知メッセージを受け取った場合、例えば、可変アッテネータ１０３の値を増加させ、送信アンテナ１５０から送信されるデータの送信電力を下げるように制御してもよい。ここで、送信電力制御部１０２は、セル干渉検出部１０４から、基地局１００に接続されている受信アンテナ１１０〜１ｎ０のいずれかの受信アンテナにおいてセル干渉を検出したことを通知された場合、送信電力を下げる制御を行わないようにしてもよい。つまり、受信アンテナ１１０〜１ｎ０においてセル干渉が検出された場合、基地局１００から周辺の基地局に対して、セル干渉通知メッセージを送信している。これにより、周辺の基地局において送信電力を下げ、セルエリアを小さくする制御が実行されている。そのため、基地局１００においてもセルエリアを小さくした場合、セルエリア境界において電波の不感地帯を発生させることになるからである。
【００３７】
基地局２００〜４００についても、基地局１００と同様の構成及び動作を行うため、詳細な説明を省略する。また、全ての基地局（基地局１００、２００、３００及び４００）において、干渉通知メッセージ送受信アンテナから送信される干渉通知メッセージは、同じ周波数ｆ０で変調されてもよい。
【００３８】
続いて、図４を用いて、本発明の実施の形態１にかかる干渉通知メッセージ送信処理の流れについて説明する。はじめに、検査用データ生成部１３０において生成された検査用データと、データ復調部１１１〜１ｎ１において復調された復調データとが、比較部１１２〜１ｎ２へ入力される（Ｓ１１）。復調データは、データ復調部１１１〜１ｎ１によって復調されたデータであり、データ復調部１１１〜１ｎ１は、周波数ｆ１で変調された送信アンテナ１５０から送信された検査用データを復調する。
【００３９】
次に、比較部１１２〜１ｎ２は、検査用データと復調データとが一致するか否かを判定する（Ｓ１２）。比較部１１２〜１ｎ２の全ての比較結果１〜ｎが一致するとの内容を示す場合、処理を終了する。
【００４０】
比較部１１２〜１ｎ２の比較結果１〜ｎのうち、少なくとも１つの比較結果が一致しないと判定された場合、セル干渉検出部１０４は、セル干渉通知メッセージを生成する（Ｓ１３）。次に、データ変調部１０５は、周波数ｆ０でセル干渉通知メッセージを変調し（Ｓ１４）、干渉通知メッセージ送受信アンテナ１６０を介して変調したセル干渉通知メッセージを周辺の基地局へ送信する（Ｓ１５）。
【００４１】
続いて、図５を用いて、本発明の実施の形態１にかかる送信電力制御処理の流れについて説明する。はじめに、データ復調部１０６は、データ復調部１０６を介して受信した周波数ｆ０で変調されたセル干渉通知メッセージを復調する（Ｓ２１）。また、データ復調部１０６は、基地局１００以外の基地局から送信されたセル干渉通知メッセージを復調する。
【００４２】
次に、送信電力制御部１０２は、セル干渉通知メッセージに含まれる周波数情報を確認し、周波数情報に示される周波数と送信アンテナ１５０から出力する電波の周波数とが一致するか否かを判定する（Ｓ２２）。送信電力制御部１０２は、周波数情報に示される周波数と送信アンテナ１５０から出力する電波の周波数とが一致すると判定した場合、セル干渉検出部１０４からセル干渉通知メッセージが入力されているか否かを判定する（Ｓ２３）。
【００４３】
次に、送信電力制御部１０２は、セル干渉検出部１０４からセル干渉通知メッセージが入力されていないと判定した場合、可変アッテネータ１０３の値を増加させる（Ｓ２４）。可変アッテネータ１０３の値が増加されることにより、送信アンテナ１５０から送信される無線信号の出力レベルが低下し、無線信号の到達範囲が狭められる。そのため、基地局１００のセルエリアを小さくすることができる。
【００４４】
ステップＳ２２において、周波数情報に示される周波数と送信アンテナ１５０から出力する周波数とが一致しないと判定された場合、処理を終了する。さらに、ステップＳ２３においてセル干渉検出部１０４からセル干渉通知メッセージが入力されていると判定した場合についても、処理を終了する。
【００４５】
続いて、セル干渉エリアの解消動作について、図２、６及び７を用いて説明する。図２の無線通信システムにおいては、基地局１００に接続されている複数の受信アンテナ（受信アンテナ１１０、受信アンテナ１２０・・・受信アンテナ１ｎ０）全てについてセルエリア１０１の内部に位置している。さらに、それぞれの受信アンテナは、他の基地局からの干渉等もない。そのため、データ復調部１１１〜１ｎ１において送信アンテナ１５０から送信された検査用データを復調した復調データと、検査用データ生成部１３０において生成された検査用データとは一致する。
【００４６】
従って、基地局１００は、全ての比較結果（比較結果１、比較結果２・・・比較結果ｎ）が正常であると判断する。そのため、基地局１００は、周波数ｆ０で変調された干渉通知メッセージを送信しない。この動作は基地局４００のセルエリア４０１についても同様である。
【００４７】
次に図２の障害物７００が土地開発などによって無くなったことにより、セルエリアが変化し、同一周波数のセルエリア（セルエリア１０１及びセルエリア４０１）が重なりあうセル干渉エリア５００が発生した場合を図６に示し、そのときの本発明の動作について説明する。
【００４８】
図６のセル干渉エリア５００では、基地局１００の受信アンテナ１１０は、周波数ｆ１で変調された検査用データが基地局４００から送信されるデータによって干渉を受ける。セル干渉エリア５００は、図６の点線で囲まれた範囲である。そのため、受信アンテナ１１０にて受信したｆ１で変調された検査用データを復調する際に、誤った復調データを得る。これにより、データ復調部１１１にて復調した復調データ１と検査用データとを比較部１１２で比較した結果、データが一致しない。そのため、比較部１１２が出力する比較結果１は、比較結果不一致となり、異常となる。
【００４９】
比較結果１が異常となったためセル干渉検出部１０４は、周波数情報ｆ１を含んだセル干渉通知メッセージをデータ変調部１０５へ出力する。データ変調部１０５は受け取ったセル干渉通知メッセージをｆ０で変調する。さらに、データ変調部１０５は、干渉通知メッセージ送受信アンテナ１６０を介して、無線区間に周波数ｆ０で変調された干渉通知メッセージを送信する。
【００５０】
基地局４００は、周波数ｆ０で変調された干渉通知メッセージを、干渉通知メッセージ送受信アンテナ４６０を用いて受信する。基地局４００は、干渉通知メッセージを変調後、干渉通知メッセージに含まれる周波数情報がｆ１であることを認識する。そのため、基地局４００は、送信アンテナ４５０から出力する周波数ｆ１と一致していると判定する。これにより、基地局４００は、可変アッテネータの値を増加させる。そのため、送信アンテナ４５０から送信される電波が弱くなり、セルエリア４０１が小さくなる。
【００５１】
この結果、図７に示すように、セル干渉エリア５００が解消される。なお、基地局２００、基地局３００においても周波数ｆ０で変調されたセル干渉通知メッセージを受信する。しかし、セル干渉通知メッセージ内に含まれる周波数情報は周波数ｆ１を示しており、基地局２００及び基地局３００の送信アンテナから出力される周波数ｆ２及びｆ３と異なるため、基地局２００及び３００のセルエリアは変わらない。
【００５２】
以上説明したように、本発明の実施の形態１にかかる無線通信システム及び基地局を用いることにより、通話品質の改善を行う人手や労力を軽減することができる。その理由は、本発明の実施の形態１にかかる基地局は、セル干渉エリアが発生したことを基地局において検出し、自律的にセル干渉エリアを解消することができるからである。
【００５３】
また、本発明の実施の形態１にかかる無線通信システムにおいては、周辺の複数の基地局においてセル干渉通知メッセージを受け取ることができるように、無線区間にセル干渉通知メッセージを送信する。そのため、複数の基地局において、セルエリアを小さくするか否かを判定することにより、干渉源となり得る複数の基地局においてセルエリアを小さくすることができる。
【００５４】
上述の実施の形態では、本発明をハードウェアの構成として説明したが、本発明は、これに限定されるものではない。本発明は、図４及び図５に記載の処理を、ＣＰＵ（Central Processing Unit）にコンピュータプログラムを実行させることにより実現することも可能である。）
【００５５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５６】
なお、本発明は上記実施の形態に限られたものではなく、趣旨を逸脱しない範囲で適宜変更することが可能である。
【符号の説明】
【００５７】
１１  送信アンテナ
１２  受信アンテナ
１３  判定部
１４  干渉通知メッセージ送受信アンテナ
１５  送信電力制御部
１００  基地局
１０２  送信電力制御部
１０３  可変アッテネータ
１０４  セル干渉検出部
１０５  データ変調部
１０６  データ復調部
１１０  受信アンテナ
１１１  データ復調部
１１２  比較部
１２０  受信アンテナ
１２１  データ復調部
１２２  比較部
１ｎ０  受信アンテナ
１ｎ１  データ復調部
１ｎ２  比較部
１３０  検査用データ生成部
１４０  データ変調部
１５０  送信アンテナ
１６０  干渉通知メッセージ送受信アンテナ
１０１  セルエリア
２００  基地局
３００  基地局
４００  基地局
５００  セル干渉エリア
７００  障害物
【図１】
2013183257.tif 000003
【図２】
2013183257.tif 000004
【図３】
2013183257.tif 000005
【図４】
2013183257.tif 000006
【図５】
2013183257.tif 000007
【図６】
2013183257.tif 000008
【図７】
2013183257.tif 000009
【図８】
2013183257.tif 000010